(57)【要約】      （修正有）【課題】スマートフォンなどによって再生された動画、音楽を見たり聴いたりしやすくし、音質を向上させ、折りたたむ事が出来、携帯しやすい折り畳み式携帯台座型音量増幅器を提供する。【解決手段】紙類、プラスチック、又は木材にて作成した、四角い箱状または多角柱状の、前方５に開口を有する開管型気柱からなり、開管型気柱の上部に、タブレット型コンピューター、スマートフォン、または携帯電話を差し込む穴をあけるための切込みを入れ、開管型気柱の下部にコの字型の切込みを入れ、開管型気柱の前方５下部に、前方５を内側に折り曲げるための切込み４を入れる。タブレット型コンピューター、スマートフォン等の台座や衝立になり、厚手の紙などで折りたためる為に携帯性に優れており、さらに音を増幅させるスピーカーになり、安価に制作する事が出来る。【選択図】図３
0003192893.tif 000002
【実用新案登録請求の範囲】
【請求項１】
本装置は、折り畳み式携帯台座型音量増幅器である。
厚紙等の強度がある紙類や薄いプラスチック、木材等にて作成する事によって折りたたむ事が出来るように成る為にタブレット型コンピューター、スマートフォン等と一緒に携帯し持ち運びやすく成る。
さらに、厚紙等の強度がある紙類や薄いプラスチック等にて作成する事によって切込みが入れやすく成る為に切込みに沿って利用者が個々に好きな大きさの穴をあけられる事によりスマートフォンなどを固定する際に機種毎に変わる大きさに対応出来る。また、筒状の音が通過する部分を切り取り、または本装置より一回り大きな、または小さな筒を本装置にかぶせ本装置を伸縮する事により音質や音量を変えられ利用者の好みの音質を作る事が出来る。
さらに、本装置の下部にコの字型の切込みを入れ、この切込みを利用者が切り内側に折り曲げる事によりストッパーと成り、タブレット型コンピューター、スマートフォン等と言った物が本装置内でずれることを防ぐことが出来、コの字の切込みの場所を変える事によって音質を変化させることもできる。
そして、本装置の前方下部部分の切込みに従い一部を切り内側に折り曲げる事により音の指向性を変化させ、音を聞く人の耳方向に音の指向性を変える事が出来る。
箱のデザインを図面では四角だが、多角形でも同様の音質変化の効果が得られ、前方部に薄い紙等を貼ることにより音質がさらに変化する。
【考案の詳細な説明】
【技術分野】
【０００１】本考案は、折り畳む事によって簡単に持ち運びが出来タブレット型コンピューター或いは、スマートフォン、或いは、携帯電話を立て掛ける台座や衝立になり、画像や動画を見やすくし、これらの機器にて音楽や映像を再生するときに音量を増幅させる折り畳み式携帯台座型音量増幅器に関するものである。
【背景技術】
【０００２】タブレット型コンピューター、スマートフォン、或いは携帯電話などで音楽や動画を再生させる機会が増加してきている。しかし、音楽や動画を再生させるための折り畳み式携帯台座型音量増幅器が無い。
【先行技術文献】
【特許文献】
【０００３】
【特許文献１】特許公開２０１２−１７５６９６公報
【考案の概要】
【考案が解決しようとする課題】
【０００４】タブレット型コンピューター、スマートフォン、或いは携帯電話などで動画を再生させる時、長時間手で持って再生させると疲労が伴い、音声もあまり良くない。
これらの課題を解決する為の折り畳み式携帯台座型音量増幅器について。
【課題を解決するための手段】
【０００５】スマートフォンなどによって動画、音楽などを見たり聴いたりする際、厚紙等にて作成された箱型の台座や衝立によってスマートフォンを立て掛ける事により再生された動画、音楽を見たり聴いたりしやすくし、この筒状の箱の中を音が通過することにより音質を向上させ、箱状の形態のため折りたたむ事が出来、携帯しやすく成る。
【考案の効果】
【０００６】本考案は、タブレット型コンピューター、スマートフォン、或いは携帯電話等の携帯性に優れた音楽や動画を再生することが出来る装置を机などに置く際に衝立や台座などになりしかもスピーカーの役割を果たす物である。しかし、従来の製品は携帯に便利な衝立では有るがスピーカーの機能はない。スピーカーの機能は有るが折りたたんでコンパクトにする事が出来ない為携帯に不向き、と言った問題が有った。本製品は、タブレット型コンピューター、スマートフォン等と言った携帯に便利な製品に付加する製品である為、コンパクトに折りたたんで携帯性に優れた製品である必要があり、本製本はコンパクトに折りたたんで携帯性に優れた製品で有りながら、電源や電気回路等の複雑な装置が不要なスピーカー装置と成り音質の向上を図ることが出来る。
【図面の簡単な説明】
【０００７】
【図１】本発明の折り畳み式携帯台座型音量増幅器上部構造図である。
【図２】本発明の折り畳み式携帯台座型音量増幅器下部構造図である。
【図３】本発明の折り畳み式携帯台座型音量増幅器分解構造図である。
【図４】本発明の折り畳み式携帯台座型音量増幅器斜視図である。
【考案を実施するための形態】
【０００８】厚紙や薄いプラスチック等にて作成する事によって折りたたむ事が出来るように成りタブレット型コンピューター、スマートフォン等と一緒に携帯しやすく成る。
【０００９】  厚紙や薄いプラスチック等にて作成する事によって切込みが入れやすく成る為に切込みに沿って利用者が個々に好きな大きさの穴をあけられる事によりスマートフォンなどを固定する際に機種毎に変わる大きさに対応出来、筒状の音が通過する部分を切り取り、または本装置より一回り大きな筒を本装置にかぶせ本装置を伸ばす事により音質を変えに利用者の好みの音質を作る事が出来る。
又、本装置の下部にコの字型の切込みを入れ、この切込みを利用者が切り内側に折り曲げる事によりストッパーと成り、タブレット型コンピューター、スマートフォン等と言った物が本装置内でずれることを防ぐことが出来る。
そして、本装置の下部先端部分の切込みに従い一部を切り内側に折り曲げる事により音の指向性が変化し音を聞く人の耳に音の指向性を変える事が出来る。
【実施例】
【００１０】折りたためる事によりタブレット型コンピューターやスマートフォン等より携帯する際に体積を少なくすることが出来、旅行や出張といった時に携帯性に優れ、本製品の筐体がタブレット型コンピューターやスマートフォン等から出力される音に反響し音質が優れ音量も上げられる。
【産業上の利用可能性】
【００１１】本考案をさらに薄く強度が高いチタン等の金属と布などを組み合わせることによりタブレット型コンピューターやスマートフォン等のカバーケースとして使用ができる。
【符号の説明】
【００１２】１．  タブレット型コンピューターやスマートフォン等を差し込む為の穴をあける切込み。穴をあける大きさによりスマートフォン等機種別の大きさに合った穴があけられ、スマートフォン等の固定が容易になる。
２．  本体の長さを変え音質を変える事が出来るようにした切込み。この切込みは、複数本入れることも可能とし、上方、下方毎に本数を変える事も可能とする。
３．  コの字型の切込みを内側に折り曲げる事によりスマートフォン等が本装置内でのずれを予防する。切込みの場所によって音質を変えられる為、コの字型の切込みを複数作る事も可能とする。
４．  本装置下部に有る切込みを内側に折り曲げ音の指向性を変える。
５．  本装置前方。
６．  本装置後方。
７．  のりしろ。
８．  タブレット型コンピューターやスマートフォン等。
【図１】
0003192893.tif 000003
【図２】
0003192893.tif 000004
【図３】
0003192893.tif 000005
【図４】
0003192893.tif 000006
【手続補正書】
【提出日】平成26年1月28日(2014.1.28)
【手続補正１】
【補正対象書類名】実用新案登録請求の範囲
【補正対象項目名】請求項１
【補正方法】変更
【補正の内容】
【請求項１】
厚紙等の強度がある紙類やプラスチック、木材等にて四角
0003192893.tif 000007
事が出来るように成る為にタブレット型コンピューター、スマートフォン等と一緒に携帯し持ち運びやすく成り、厚紙等の強度がある紙類や薄いプラスチック等にて作成する事によって切込みが入れやすく成る為に切込みに沿って利用者が個々に好きな大きさの穴をあけられる事によりスマートフォンなどを固定する際に機種毎に変わる大きさに対応出来き、本装置の気柱を一部切り取り、または
0003192893.tif 000008
かぶせ本装置を伸縮する事により、気柱の共鳴振動数が変わり音質や音量を変えられ利用者の好みの音質を作る事が出来き、本装置の下部にコの字型の切込みを入れ、この切込みを利用者が切り内側に折り曲げる事によりストッパーと成り、タブレット型コンピューター、スマートフォン等と言った物が本装置内でずれることを防ぐことが出来、コの字の切込みの場所を変える事にり気柱の長さを変えて共鳴振動数を変える事により音質を変化させることも出来、本装置の前方下部部分の切込みに従い一部を切り内側に折り曲げる事により気柱振動の方向を変える事により音の指向性を変化させ、音を聞く人の耳方向に音の指向性を変える事が出来き、多角形でも同様の音質変化の効果が得られ、前方部に薄い紙等をり気柱を閉管する事により共鳴振動数が変わり音質がさらに変化する、ことを特徴とする折り畳み式携帯台座型音量増幅器。
【手続補正書】
【提出日】平成26年4月8日(2014.4.8)
【手続補正１】
【補正対象書類名】実用新案登録請求の範囲
【補正対象項目名】請求項１
【補正方法】変更
【補正の内容】
【請求項１】
紙類、プラスチック、又は木材にて作成した、四角い箱状または多角柱状の、前方に開口を有する開管型気柱からなり、
前記開管型気柱の上部に、タブレット型コンピューター、スマートフォン、または携帯電話を差し込む穴をあけるための切込みを入れ、
前記開管型気柱の下部にコの字型の切込みを入れ、
前記開管型気柱の前部下部に、前記前方を内側に折り曲げるための切込みを入れたことを特徴とすることを特徴とする折り畳み式携帯台座型音量増幅器。
【手続補正書】
【提出日】平成26年6月26日(2014.6.26)
【手続補正１】
【補正対象書類名】実用新案登録請求の範囲
【補正対象項目名】請求項１
【補正方法】変更
【補正の内容】
【請求項１】
紙類、プラスチック、又は木材にて作成した、四角い箱状または多角柱状の、前方に開口を有する開管型気柱からなり、
前記開管型気柱の上部に、タブレット型コンピューター、スマートフォン、または携帯電話を差し込む穴をあけるための切込みを入れ、
前記開管型気柱の下部にコの字型の切込みを入れ、
前記開管型気柱の前方下部に、前記前方を内側に折り曲げるための切込みを入れたことを特徴とする折り畳み式携帯台座型音量増幅器。